(57)【要約】【課題】本発明の目的は、フィールド順次駆動方式で色の歪曲現象を防止するようにした液晶表示装置及びその駆動方法を提供することにある。【解決手段】本発明に係る液晶表示装置は、複数の液晶セルを規定するための複数のデータライン及び複数のゲートラインと、緑色データ、赤色データ及び青色データをデータラインに順次供給するためのデータ駆動部と、ゲートラインにスキャンパルスを供給するためのゲート駆動部と、緑色データが液晶セルで維持される間に液晶セルに緑色光を照射して、赤色データが液晶セルで維持される間に液晶セルに赤色光を照射して、青色データが液晶セルで維持される間に液晶セルに青色光を照射する光源とを具備する。【選択図】図３
2005165331.tif 000002
【特許請求の範囲】
【請求項１】
複数の液晶セルを規定する複数のデータライン及び複数のゲートラインと、
緑色データ、赤色データ及び青色データを前記データラインに順次供給するためのデータ駆動部と、
前記ゲートラインにスキャンパルスを供給するためのゲート駆動部と、
前記緑色データが前記液晶セルにおいて維持される間に前記液晶セルに緑色光を照射し、前記赤色データが前記液晶セルにおいて維持される間に前記液晶セルに赤色光を照射し、前記青色データが前記液晶セルにおいて維持される間に前記液晶セルに青色光を照射する光源とを具備することを特徴とする液晶表示装置。
【請求項２】
前記ゲート駆動部は、前記スキャンパルスを前記緑色データ、赤色データ及び青色データに同期させることを特徴とする請求項１記載の液晶表示装置。
【請求項３】
前記データ駆動部、前記ゲート駆動部及び前記光源を制御するための制御部をさらに具備することを特徴とする請求項１記載の液晶表示装置。
【請求項４】
複数のデータラインと複数のゲートラインとの交差部にマトリックス状に配列される液晶セルを形成する段階と、
前記液晶セルにおいて緑色データが維持される期間の間に前記液晶セルに緑色光を照射する段階と、
前記液晶セルに赤色データが維持される期間の間に前記液晶セルに赤色光を照射する段階と、
前記液晶セルに青色データが維持される期間の間前記液晶セルに青色光を照射する段階とを含むことを特徴とする液晶表示装置の駆動方法。
【請求項５】
前記緑色光を照射する段階は、前記データラインに緑色データを供給するとともに前記ゲートラインに前記スキャンパルスを供給する段階を含むことを特徴とする請求項４記載の液晶表示装置の駆動方法。
【請求項６】
前記赤色光を照射する段階は、前記データラインに赤色データを供給するとともに前記ゲートラインに前記スキャンパルスを供給する段階を含むことを特徴とする請求項４記載の液晶表示装置の駆動方法。
【請求項７】
前記青色光を照射する段階は、前記データラインに青色データを供給するとともに前記ゲートラインに前記スキャンパルスを供給する段階を含むことを特徴とする請求項４記載の液晶表示装置の駆動方法。
【請求項８】
一フレーム期間を緑色、赤色及び青色サブフレームに分割する段階と、
前記緑色サブフレーム中に緑色データを、前記赤色サブフレーム中に赤色データを、及び前記青色サブフレーム中に青色データを、画素に順次的に印加する段階と、
前記緑色サブフレーム中に緑色光を、前記赤色サブフレーム中に赤色光を、及び前記青色サブフレーム中に青色光を、前記画素に順次的に照射する段階とを含むことを特徴とする平板表示装置の駆動方法。
【請求項９】
前記緑色データが前記画素で維持される際に前記緑色光を前記画素に照射する段階と、
前記赤色データが前記画素で維持される際に前記赤色光を前記画素に照射する段階と、
前記青色データが前記画素で維持される際に前記青色光を前記画素に照射する段階とをさらに含むことを特徴とする請求項８記載の平板表示装置の駆動方法。
【請求項１０】
前記平板表示装置は、前記画素を規定するデータラインとゲートラインとを含むことを特徴とする請求項８記載の平板表示装置の駆動方法。
【請求項１１】
前記緑色光を照射する段階は、前記データラインに緑色データを供給するとともに前記ゲートラインに前記スキャンパルスを供給する段階を含むことを特徴とする請求項１０記載の平板表示装置の駆動方法。
【請求項１２】
前記赤色光を照射する段階は、前記データラインに赤色データを供給するとともに前記ゲートラインに前記スキャンパルスを供給する段階を含むことを特徴とする請求項１０記載の平板表示装置の駆動方法。
【請求項１３】
前記青色光を照射する段階は、前記データラインに青色データを供給するとともに前記ゲートラインに前記スキャンパルスを供給する段階を含むことを特徴とする請求項１０記載の平板表示装置の駆動方法。
【請求項１４】
前記平板表示装置は、前記緑色サブフレーム中に前記緑色データを、前記赤色サブフレーム中に前記赤色データを、及び前記青色サブフレーム中に前記青色データを、前記画素に順次的に印加するデータ駆動部を具備することを特徴とする請求項８記載の平板表示装置の駆動方法。
【請求項１５】
前記平板表示装置は、前記緑色サブフレーム中に前記緑色光を、前記赤色サブフレーム中に前記赤色光を、及び前記青色サブフレーム中に前記青色光を、前記画素に順次的に照射する光源をさらに具備することを特徴とする請求項１４記載の平板表示装置の駆動方法。
【請求項１６】
前記平板表示装置は液晶表示装置であることを特徴とする請求項８記載の平板表示装置の駆動方法。
【請求項１７】
前記光源は、蛍光ランプ及び LEDのうちの少なくとも一つを含むことを特徴とする請求項１５記載の平板表示装置の駆動方法。
【請求項１８】
前記平板表示装置は、前記ゲートラインにスキャンパルスを印加するゲート駆動部を具備することを特徴とする請求項１５記載の平板表示装置の駆動方法。
【請求項１９】
前記ゲート駆動部は、前記スキャンパルスを前記緑色データ、赤色データ及び青色データに同期させることを特徴とする請求項１８記載の平板表示装置の駆動方法。
【請求項２０】
前記平板表示装置は、前記データ駆動部、前記ゲート駆動部及び前記光源を制御するための制御部をさらに具備することを特徴とする請求項１８記載の平板表示装置の駆動方法。
【請求項２１】
一フレーム期間を緑色、赤色及び青色サブフレームに分割するタイミングコントローラと、
前記緑色サブフレーム中に緑色データを、前記赤色サブフレーム中に赤色データを、及び前記青色サブフレーム中に青色データを、画素に順次的に印加するデータ駆動部と、
前記緑色サブフレーム中に緑色光を、前記赤色サブフレーム中に赤色光を、及び前記青色サブフレーム中に青色光を、前記画素に順次的に照射する光源とを具備することを特徴とする平板表示装置。
【請求項２２】
前記光源は、前記緑色サブフレーム中に前記緑光を前記画素に照射する緑色光源、前記赤色サブフレーム中に前記赤色光を前記画素に照射する赤色光源及び前記青色サブフレーム中に前記青色光を前記画素に照射する青色光源を具備することを特徴とする請求項２１記載の平板表示装置。
【請求項２３】
前記平板表示装置は、前記画素を規定するデータラインとゲートラインとを含むことを特徴とする請求項２１記載の平板表示装置。
【請求項２４】
前記平板表示装置は液晶表示装置であることを特徴とする請求項２１記載の平板表示装置。
【請求項２５】
前記光源は。蛍光ランプ及びLEDのうちの少なくとも一つを含むことを特徴とする請求項２１記載の平板表示装置。
【請求項２６】
前記平板表示装置は、前記ゲートラインにスキャンパルスを印加するゲート駆動部をさらに具備することを特徴とする請求項２１記載の平板表示装置。
【請求項２７】
前記ゲート駆動部は、前記スキャンパルスを前記緑色データ、赤色データ及び青色データに同期させることを特徴とする請求項２６記載の平板表示装置。
【請求項２８】
前記データ駆動部、前記ゲート駆動部及び前記光源を制御するための制御部をさらに具備することを特徴とする請求項２６記載の平板表示装置。
【請求項２９】
前記光源は緑色ランプ、赤色ランプ及び青色ランプをさらに具備することを特徴とする請求項２８記載の平板表示装置。
【請求項３０】
前記制御部は、１V〜１５Vの電圧を前記光源に供給することを特徴とする請求項２９記載の平板表示装置。
【請求項３１】
前記液晶表示装置はOCBモードを利用することを特徴とする請求項２４記載の平板表示装置。
【請求項３２】
前記液晶表示装置はTNモードを利用することを特徴とする請求項２４記載の平板表示装置。
【請求項３３】
前記TNモードの液晶セルの厚さはおおよそ０．１乃至４μｍであることを特徴とする請求項３２記載の平板表示装置。
【請求項３４】
前記液晶表示装置はFLCモードを利用することを特徴とする請求項２４記載の平板表示装置。
【発明の詳細な説明】
【技術分野】
【０００１】
本発明は液晶表示装置及びその駆動方法に関し、特にフィールド順次駆動方式で色の歪曲現象を防止するようにした液晶表示装置及びその駆動方法に関するものである。
【背景技術】
【０００２】
通常、液晶表示装置(Liquid Crystal Display)はビデオ信号に沿って液晶セルの光透過率を調節して画像を表示する。液晶セルごとにスイッチング素子が形成されたアクティブマトリックス(Active Matrix)タイプの液晶表示装置は動映像を表示するのに相応しい。アクティブマトリックスタイプの液晶表示装置に使われるスイッチング素子としては主に薄膜トランジスタ(Thin Film Transistor; 以下 ”TFT”という)が利用されている。
【０００３】
図１を参照すると、関連技術の液晶表示装置の液晶パネルには上部基板２上にカラーフィルター６と共通電極４が積層されて、下部基板１２上に画素電極１０が形成されて、上部基板２と下部基板１２の間に液晶８が注入される。下部基板１２の下側にはバックライト光源の役目をする白色ランプ１４が設置される。上部基板２上には赤、緑及び青色のカラーフィルター６との間に図示しないブラックマトリックスが形成される。上部基板２と下部基板１２のそれぞれには液晶８と接する界面上に図示しない配向膜が形成される。下部基板１２上には図示しないゲートラインとデータラインが直交して、ゲートラインとデータラインの交差部のそれぞれに TFTが形成される。TFTはゲートラインを経由して自分のゲート端子に印加されるスキャンパルスに応答してデータラインに接続されたソース端子と画素電極１０に接続されたドレイン端子の間にチャンネルを形成することによって画素電極１０にデータを印加する。画素電極１０はゲートラインとデータラインにより取り囲まれた画素領域内に形成される。
【０００４】
このような液晶パネルにおいては、白色ランプ１４に電圧が印加されて白色光が持続的に照射される。このように白色ランプ１４が点燈されるうちに、スキャンパルスにより TFTがターン-オンされて赤、緑及び青色のデータが同時に該当の液晶セルに印加される。その結果、液晶パネルに照射された白色光は液晶セルを透過した後、赤、緑及び青色のカラーフィルター６を通過して赤色光、緑光及び青色光に変わる。液晶パネルは赤色光、緑光及び青色光の合成で望みの色を表示する。
【０００５】
このような関連技術の液晶表示装置においては、カラーフィルター６を通過した光のパワーがおおよそ１/３以下に低減されるため、液晶パネルの輝度が低いという欠点がある。このような光效率の低下の問題を解決することができるフィールド順次方式(Field sequential)が提案されている。
【０００６】
図２はフィールド順次駆動方式により駆動される液晶パネルの断面を概略的に示す。
図２を参照すると、フィールド順次駆動方式の液晶パネルはカラーフィルターを具備せず、赤色ランプ(３６R)、緑ランプ(３６G)及び青色ランプ(３６B)を具備する。この液晶パネルの上部基板２２上には図示しないブラックマトリックスが形成される。上部基板２２と下部基板３２のそれぞれには液晶２８と接する界面上に図示しない配向膜が形成される。下部基板３２上には図示しないゲートラインとデータラインが直交して、ゲートラインとデータラインの交差部のそれぞれにTFTが形成される。TFTはゲートラインを経由して自分のゲート端子に印加されるスキャンパルスに応答してデータラインに接続されたソース端子と画素電極３０に接続されたドレイン端子の間にチャンネルを形成することによって画素電極３０にデータを印加する。画素電極３０はゲートラインとデータラインにより取り囲まれた画素領域内に形成される。このようなフィールド順次駆動方式においては、赤色ランプ(３６R)、緑ランプ(３６G)及び青色ランプ(３６B)にランプ駆動電圧が順次的に印加されて液晶パネル上に赤色光、緑光及び青色光が順次的に照射される。
【０００７】
しかし、このような関連技術のフィールド順次駆動方式に係る液晶表示装置は液晶セルに赤色光、緑光及び青色光を順次的に照射するから、液晶の累積応答特性により赤色光、緑光及び青色光の順序で光透過率が増加するようになって色の歪曲現象が現われるようになる。すなわち、累積応答特性により歪曲された光透過率が示れて赤色ランプ(３６R)、緑ランプ(３６G)及び青色ランプ(３６B)光源から液晶を透過した光を加法混色した時に歪曲された色が現われる。このような色の歪曲現象は人間の時間分解能を利用して例えば赤色光及び緑色光を加法混色して黄色を表示する場合、確実に現われるようになる。すなわち、黄色を表示するために液晶セルに赤色光を透過した後、緑色光を透過させて黄色を表示するようにすると、液晶の累積応答特性により赤色光の透過率に液晶の透過率が累積する。したがって、赤色光の光透過率が緑色光の光透過率より相対的に低くなる。この時、緑色光の輝度への寄与度は赤色光に比べて２倍程度(一般的な輝度寄与度は R:G:B=３:６:１である)高くなるので、液晶セルは緑色に近い黄色を表示することになり、表示しようとする色の歪曲が発生するようになる。
【発明の開示】
【発明が解決しようとする課題】
【０００８】
したがって、本発明の目的は、フィールド順次駆動方式において色の歪曲現象を防止するようにした液晶表示装置及びその駆動方法を提供することである。
【課題を解決するための手段】
【０００９】
上記目的を達成するために、本発明の実施例に係る液晶表示装置は複数の液晶セルを定義するための複数のデータライン及び複数のゲートラインと、緑色データ、赤色データ及び青色データをデータラインに順次供給するためのデータ駆動部と、ゲートラインにスキャンパルスを供給するためのゲート駆動部と、緑色データが液晶セルで維持される間に液晶セルに緑色光を照射して、赤色データが液晶セルで維持される間に液晶セルに赤色光を照射して、青色データが液晶セルで維持される間に液晶セルに青色光を照射する光源とを具備する。
【００１０】
また、本発明の一実施例において、該ゲート駆動部はスキャンパルスを緑色データ、赤色データ及び青色データに同期させる。
【００１１】
また、本発明の一実施例において、該データ駆動部、該ゲート駆動部及び該光源を制御するための制御部をさらに具備する。 
【００１２】
本発明に係る液晶表示装置の駆動方法は、複数のデータラインと複数のゲートラインとの交差部にマトリックス状に配列される液晶セルを形成する段階と、液晶セルに緑色データが維持される期間の間に液晶セルに緑色光を照射する段階と、液晶セルに赤色データが維持される期間の間に液晶セルに赤色光を照射する段階と、液晶セルに青色データが維持される期間の間液晶セルに青色光を照射する段階とを含む。
【００１３】
本発明の一実施例において、上記緑色光を照射する段階はデータラインに緑色データを供給することと同時にゲートラインにスキャンパルスを供給する段階を含む。
【００１４】
また、本発明の一実施例において、上記赤色光を照射する段階はデータラインに赤色データを供給することと同時にゲートラインにスキャンパルスを供給する段階を含む。
【００１５】
また、本発明の一実施例において、上記青色光を照射する段階はデータラインに青色データを供給することと同時にゲートラインにスキャンパルスを供給する段階を含む。
【００１６】
本発明に係る平板表示装置の駆動方法は、一フレーム期間を緑色、赤色及び青色サブフレームに分割する段階と、緑色サブフレーム内に緑色データ、赤色サブフレーム内に赤色データ及び青色サブフレーム内に青色データを画素に順次印加する段階と、緑色サブフレーム内に緑色光、赤色サブフレーム内に赤色光及び青色サブフレーム内に青色光を画素に順次照射する段階とを含む。
【００１７】
また、本発明の一実施例において、上記平板表示装置の駆動方法は、緑色データが画素で維持される際に緑色光を画素に照射する段階と、赤色データが画素で維持される時に赤色光を画素に照射する段階と、青色データが画素で維持される時に青色光を画素に照射する段階とをさらに含む。
【００１８】
本発明に係る平板表示装置は、一フレーム期間を緑色、赤色及び青色サブフレームに分割するタイミングコントローラと、緑色サブフレーム内に緑色データ、赤色サブフレーム内に赤色データ及び青色サブフレーム内に青色データを画素に順次印加するデータ駆動部と、緑色サブフレーム内に緑色光、赤色サブフレーム内に赤色光及び青色サブフレーム内に青色光を画素に順次照射する光源とを具備する。
【００１９】
本発明の一実施例において、該光源は、緑色サブフレーム内に緑色光を画素に照射する緑色光源、赤色サブフレーム内に赤色光を画素に照射する赤色光源及び青色サブフレーム内に青色光を前記画素に照射する青色光源を具備する。
【００２０】
また、本発明の一実施例において、該平板表示装置は、画素を定義するデータラインとゲートラインを含む。
【００２１】
また、本発明の一実施例において、該平板表示装置は液晶表示装置である。
【００２２】
また、本発明の一実施例において、該光源は蛍光ランプまたはLED(Light Emitting Diode)中、少なくともいずれか一つを含む。
【００２３】
また、本発明の一実施例において、該平板表示装置はゲートラインにスキャンパルスを印加するゲート駆動部をもっと具備する。
【００２４】
また、本発明の一実施例において、データ駆動部、ゲート駆動部及び光源を制御する制御部は１V〜１５Vの電圧を光源に供給する。
【００２５】
また、本発明の一実施例において、液晶表示装置はOCB(Optically Compensated Birefringence)モードを利用する。
【００２６】
また、本発明の一実施例において、液晶表示装置はねじれネマティック(Twisted Nematic、ＴＮ)モードを利用する。
【００２７】
また、本発明の一実施例において、TN(Twisted Nematic)モードの液晶セルの厚さはおおよそ ０.１乃至４μmである。
【００２８】
また、本発明の一実施例において、液晶表示装置は強誘電性液晶(Ferroelectric Liquid Crystal、ＦＬＣ)モードを利用する。
【発明の効果】
【００２９】
本発明の実施例に係る液晶表示装置の駆動方法は液晶セルに輝度寄与度が高い緑色光を透過させた後、緑光が透過された液晶セルに赤色光を透過させて赤色光の透過率を増加させることによって、累積応答特性に起因した色の歪曲現象を除去することができる。
【発明を実施するための最良の形態】
【００３０】
［実施例］
以下、図３乃至図５を参照して本発明の望ましい実施例に関して説明する。
【００３１】
図３は、本発明の実施例に係る液晶表示装置を示す図である。 
図３を参照すると、本発明の実施例に係る液晶表示装置は、データライン(図示しない)とゲートライン(図示しない)が交差されてその交差部にTFTが形成された液晶パネル４０と、液晶パネル４０のデータラインにデータを供給するためのデータ駆動部４２と、液晶パネル４０のゲートラインにスキャンパルスを供給するためのゲート駆動部４４と、デジタルビデオデータと同期信号(H,V)を供給するタイミングコントローラー４６と、緑色ランプ(５２G)、赤色ランプ(５２R)及び青色ランプ(５２B)を駆動するためのランプ駆動部４８とを具備する。
【００３２】
液晶パネル４０においては、二枚の硝子基板の間に液晶が形成される。液晶パネル４０のデータラインとゲートラインとの交差部に形成されたTFTはゲート駆動部４４からのスキャンパルスに応答してデータライン上のデータをマトリックスタイプに形成された液晶セルに供給する。このTFTのソース電極はデータラインに接続されて、ドレイン電極は液晶セルの画素電極に接続される。そしてTFTのゲート電極はゲートラインに接続される。
【００３３】
この液晶表示装置の液晶モードは液晶の応答速度の早い液晶が要求される。このために、本発明に係る液晶表示装置に適用される液晶モードはセルギャップ(Cell gap)がおおよそ０.１乃至４μm程度である、TN(Twisted Nematic)モード、OCB(Optically Compensated Birefringence)モード、FLC(Ferroelectric Liquid Crystal)モードのうちのいずれか一つである。
【００３４】
タイミングコントローラー４６は１フレーム(一般的に、１６．７ms)を緑色(G)、赤色(R)及び青色(B)の３個のサブフレームに分けて、液晶パネル４０を駆動させるための制御信号をデータ駆動部４２及びゲート駆動部４４に供給する。この時、各サブフレーム(１６．７msを基準で５.５６ms)はデータ記入区間、液晶応答区間及びランプ点燈区間に区分される。
【００３５】
このために、タイミングコントローラー４６は図示しないデジタルビデオカードから供給されるデジタルビデオデータを緑色(G)及び赤色(R)及び青色(B) の別に再整列する。タイミングコントローラー４６により再整列されたデータ(GRB)はデータ駆動部４２に供給される。また、タイミングコントローラー４６は自分に入力される水平/垂直同期信号(H,V)を利用してフィールド順次駆動方式に必要な周波数でデータ制御信号とゲート制御信号を発生する。データ制御信号はドットクロック(Dclk)、ソースシフトクロック(SSC)、ソースイネーブル信号(SOE)、極性反転信号(POL)などを含んでデータ駆動部４２に供給される。ゲート制御信号はゲートスタートパルス(GSP)、ゲートシフトクロック(GSC)、ゲート出力イネーブル(GOE)などを含んでゲート駆動部６４に供給される。また、タイミングコントローラー４６は液晶セルにデータが供給された時点で緑色ランプ(５２G)及び赤色ランプ(５２R)、及び青色ランプ(５２B)が順次的に駆動されるようにランプ駆動部４８を制御する。このようなタイミングコントローラー４６は、データ駆動部４２、ゲート駆動部４４及びランプ駆動部４８を制御するため、制御部であると言える。
【００３６】
データ駆動部４２はタイミングコントローラー４６からのデータ制御信号に沿ってデータをサンプリングした後に、サンプリングされたデータを１ライン分ずつラッチしてラッチされたデータを図示しないガンマ電圧供給部からのアナログガンマ電圧に変換する。
【００３７】
ゲート駆動部４４はタイミングコントローラー４６からのゲート制御信号の中でゲートスタートパルス(GSP)に応答してスキャンパルスを順次的に発生させるようになる。これによって、ゲート駆動部４４はスキャンパルスをゲートラインに供給してTFTをターン-オンさせて、データライン上のビデオデータを液晶セルに供給することと同時に液晶セルに供給されたデータを一定に維持させる。この時、スキャンパルスはゲート高電圧と同一な電圧を持つ。また、液晶セルのデータ維持期間にはゲートラインにスキャンパルスが供給されることもあるし、供給されないこともある。
【００３８】
ランプ駆動部４８はタイミングコントローラー４６の制御により、各サブフレーム内で液晶セルにデータが供給されて維持される時点で、ある液晶応答区間の間に緑色ランプ(５２G)、赤色ランプ(５２R)及び青色ランプ(５２B)中からいずれか一つを点燈させて液晶セルに緑色光、赤色光及び青色光の中からいずれか一つを供給するようになる。
【００３９】
このような液晶表示装置は、図４に図示された駆動波形により液晶パネルに画像を表示することになる。
図４を参照すると、本発明の実施例に係るフィールド順次駆動方式を利用した液晶表示装置の駆動方法は、液晶パネル上の１フレーム(一般的に、１６．７ms)を緑色(G)、赤色(R)及び青色(B)の３個のサブフレームに分離する。このような各サブフレーム(１６．７msを基準として５．５６ms)はデータ記入区間(WT)、液晶応答区間(AT)及びランプ点燈区間(LT)に区分される。データ記入区間(WT)の間にはスキャンパルス(GP)に応答して液晶パネルの画素電極にデータを供給して、液晶応答区間(AT)の間には液晶パネルの画素電極に供給されたデータを一定に維持させるようになる。また、ランプ点燈区間(LT)の間には、液晶パネルの画素電極に供給されたデータを維持する間にランプからの光が液晶を透過して望みの色を表示するようになる。本発明の実施例に係るフィールド順次駆動方式を利用した液晶表示装置の駆動方法は、１フレームにおいて、第１サブフレームではデータ記入区間(WT)の間にスキャンパルス(GP１)を利用して液晶セルに緑色データ電圧を供給して、液晶応答区間(AT)の間、液晶セルに供給された緑色データを一定に維持して、ランプ点燈区間(LT)の間に、ランプ駆動部４８により緑色ランプ(５２G)が点燈されて緑色データが供給された液晶セルに緑色光が透過される。これによって、１フレームのうち、第１サブフレームでは、緑色データが供給された液晶セルにおいて緑色光が表示される。この時、緑色ランプ(５２G)を駆動するためにランプ駆動部４８は３．９V乃至４．１V程度、望ましくは４Vの電源を緑色ランプ(５２G)に供給する。１フレームのうち、第２サブフレームでは、データ記入区間(WT)の間にスキャンパルス(GP２)を利用して液晶セルに赤色データ電圧を供給して、液晶応答区間(AT)の間に液晶セルに供給された赤色データを一定に維持させて、ランプ点燈区間(LT)の間にランプ駆動部４８により赤色ランプ(５２R)が点燈されて、赤色データが供給された液晶セルにおいて赤色光が透過される。これによって、１フレームのうち、第２サブフレームでは、赤色データが供給された液晶セルにおいて赤色光が表示される。この時、赤色ランプ(５２R)を駆動するためにランプ駆動部４８は２．９V乃至３．１V程度、望ましくは３Vの電源を赤色ランプ(５２R)に供給する。１フレームのうち、第３サブフレームではデータ記入区間(WT)の間にスキャンパルス(GP３)を利用して液晶セルに青色データ電圧を供給して、液晶応答区間(AT)の間に液晶セルに供給された青色データを一定に維持させて、ランプ点燈区間(LT)の間にランプ駆動部４８により青色ランプが点燈されて、青色データが供給された液晶セルに青色光が透過される。これによって、１フレームのうち、第３サブフレームでは、青色データが供給された液晶セルにおいて青色光が表示される。この時、青色ランプ(５２B)を駆動するためにランプ駆動部４８は ３．６V乃至３．８V程度、望ましくは３．７Vの電源を青色ランプ(５２B)に供給する。
【００４０】
結果的に、本発明の実施例に係るフィールド順次駆動方式を利用した液晶表示装置の駆動方法は、１フレームを１/３以下に時分割して、それぞれのサブフレームでの緑色光、赤色光及び青色光を加法混色して画像を表示するようになる。言い換えれば、本発明の実施例に係るフィールド順次駆動方式においては、緑色(G)、赤色(R)及び青色(B)のデータが一フレーム期間の１/３以下に時分割されて液晶セルに供給されるとともに、時分割された緑光、赤色光及び青色光を時分割して透過させる。
【００４１】
図５を参照して、本発明の実施例に係るフィールド順次駆動方式に従う液晶表示装置において、人間の時間分解能を利用して例えば緑色光及び赤色光を加法混色して黄色を表示する場合を説明すると、以下のようになる。
【００４２】
１フレームのうちの第１サブフレーム期間では、データ記入区間(WT)の間に第１スキャンパルス(GP１)に応答して液晶セルに緑色データを供給し、液晶応答区間(AT)の間に液晶セルに供給された緑色データを一定に維持させるようになる。さらに、ランプ点燈区間(LT)の間にランプ駆動部４８はおおよそ３．９V乃至４．１V、 望ましくは４Vの電源を緑色ランプ(５２G)に供給して、緑ランプ(５２G)を点燈させる。これにより、緑色ランプ(５２G)が点燈され、緑色データが供給されて維持される液晶セルにおいて緑光が透過される。これによって、１フレームの中で第１サブフレームでは、緑色データが供給された液晶セルにおいて緑光が表示される。１フレームのうちの第２サブフレームでは、データ記入区間(WT)の間にスキャンパルス(GP２)を利用して液晶セルに赤色データ電圧を供給し、液晶応答区間(AT)の間に液晶セルに供給された赤色データを一定に維持させる。さらに、ランプ点燈区間(LT)の間にランプ駆動部４８はおおよそ２．９V乃至３．１V、望ましくは３Vの電源を赤色ランプ(５２R)に供給して、赤色ランプ(５２R)を点燈させる。これにより、赤色ランプ(５２R)が点燈され、赤色データが供給された液晶セルにおいて赤色光が透過される。これによって、１フレームのうちの第２サブフレームでは、赤色データが供給された液晶セルにおいて赤色光が表示される。１フレームのうちの第３サブフレームでは、データ記入区間(WT)の間にスキャンパルス(GP３)を利用してブラック電圧（black voltage）の青色データを液晶セルに供給して、液晶応答区間(AT)の間に液晶セルに供給されたブラック電圧の青色データを一定に維持させる。ここで、ブラック電圧は液晶セルにおいて光が透過されない場合の液晶画素電圧であって、通常のブラックモード（black mode）での最小ガンマ電圧である。ランプ点燈区間(LT)の間にランプ駆動部４８は３．６V乃至３．８V程度、望ましくは３．７Vの電源を青色ランプ(５２B)に供給して青色ランプ(５２B)を点燈させる。しかし、ブラック電圧の青色データが供給された液晶セルでは、青色ランプ(５２B)からの青色光は透過されない。上記駆動電圧は、ランプのそれぞれがLED(Light Emitting Diode)からなる場合には、おおよそ１V〜１５Vの程度である。
【００４３】
これによって、液晶セルでは第１サブフレームの緑色光と第２サブフレームの赤色光が加法混色されて黄色が表示される。
【００４４】
本発明の実施例に係るフィールド順次駆動方式による液晶表示装置の駆動方法において、液晶セルに現われる累積応答特性以下のようになる。例えば黄色を表示する場合に、１フレームのうちの第１サブフレーム間に緑色データ及び緑色ランプ(５２G)を利用して液晶に緑色光を透過させた後、第２サブフレーム間に赤色データ及び赤色ランプ(５２R)を利用して液晶に赤色光を透過させて黄色を表示するようになる。この際、第２サブフレームでは第１サブフレーム期間の緑色光透過率に赤色データ電圧に係る液晶の透過率が累積する。したがって、第２サブフレームで液晶を透過する赤色光の透過率は第１サブフレームで液晶を透過する緑色光の透過率より相対的に高くなる。ここで、緑色光の輝度寄与度は赤色光に比べて高いため、液晶セルの累積応答特性に起因した色の歪曲現象が除去されることになり、液晶セルは黄色を表示するようになる。
【図面の簡単な説明】
【００４５】
【図１】関連技術の液晶表示装置の液晶パネルを示す断面図である。
【図２】関連技術のフィールド順次駆動方式に係る液晶表示装置の液晶パネルを示す断面図である。
【図３】本発明の実施例に係る液晶表示装置を示す図である。
【図４】図３に図示された液晶表示装置のフィールド順次駆動方式に係る駆動波形を示す波形図である。
【図５】図３に図示された液晶表示装置のフィールド順次駆動方式に従って黄色を表示するための駆動波形を示す波形図である。
【符号の説明】
【００４６】
２、２２：上部基板
４、２４ ：共通電極 
６：カラーフィルター
８、２８：液晶 
１０、３０：画素電極
１２、３２：下部基板 
１４：白色ランプ
３６R、５２R：赤色ランプ 
３６G、５２G ：緑色ランプ
３６B、５２B：青色ランプ 
４０：液晶パネル
４２：データ駆動部
４４：ゲート駆動部
４６：タイミングコントローラー
４８：ランプ駆動部
【図１】
2005165331.tif 000003
【図２】
2005165331.tif 000004
【図３】
2005165331.tif 000005
【図４】
2005165331.tif 000006
【図５】
2005165331.tif 000007